(57)【要約】【課題】  モバイルネットワークとパケット交換網の組み合わせた表示を容易にする新しい装置及び方法を提供する。【解決手段】  シグナリングプロトコルにおける通信を監視する第１の測定システムと、ネットワークプロトコルにおける通信を監視する第２の測定システムと、前記第１の測定システムの出力を前記第２の測定システムの出力と相関させる相関付けシステムと、前記相関付けシステムの出力に基づいて、前記第１の測定システムの出力の少なくとも１つの態様を前記第２の測定システムの少なくとも１つの態様と比較する表示を生成するグラフィカルユーザインタフェースとを含む。【選択図】        図４
2006311555.tif 000002
【特許請求の範囲】
【請求項１】
シグナリングプロトコルにおける通信を監視する第１の測定システムと、
ネットワークプロトコルにおける通信を監視する第２の測定システムと、
前記第１の測定システムの出力を前記第２の測定システムの出力と相関させる相関付けシステムと、
前記相関付けシステムの出力に基づいて、前記第１の測定システムの出力の少なくとも１つの態様を前記第２の測定システムの少なくとも１つの態様と比較する表示を生成するグラフィカルユーザインタフェースと、
を含むことを特徴とする試験及び測定システム。
【請求項２】
前記相関付けシステムが、時間に基づいて前記第１の測定システムの前記出力を前記第２の測定システムと相関付けることを特徴とする請求項１に記載の試験及び測定システム。
【請求項３】
前記グラフィカルユーザインタフェースが、前記第１の測定システムの出力の少なくとも１つの態様を表す第１の線と、前記第２の測定システムの少なくとも１つの態様を表す第２の線とを有するチャートを生成することを特徴とする請求項１に記載の試験及び測定システム。
【請求項４】
前記第１の線が、前記第１の測定システムからの単一測定値を表し、前記第２の線が、前記第２の測定システムからの単一測定値を表すことを特徴とする請求項３に記載の試験及び測定システム。
【請求項５】
前記第１の線が、前記第１の測定システムからの測定値の集約を表し、前記第２の線が、前記第２の測定システムからの測定値の集約を表すことを特徴とする請求項３に記載の試験及び測定システム。
【請求項６】
前記第１の測定システムが、
シグナリングプロトコルを使用してデータを伝送しているネットワークに接続された少なくとも１つのプローブと、
前記少なくとも１つのプローブからデータを受け取り、測定値を前記相関付けシステムに出力するシグナリングアナライザと、
を含むことを特徴とする請求項１に記載の試験及び測定システム。
【請求項７】
前記第２の測定システムが、
パケット交換網に接続された少なくとも１つのプローブと、
前記少なくとも１つのプローブからデータを受け取り、測定値を前記相関付けシステムに出力するネットワークアナライザと、
を含むことを特徴とする請求項１に記載の試験及び測定システム。
【請求項８】
シグナリングプロトコルにおける通信を監視し、測定値を出力する第１の測定手段と、
ネットワークプロトコルにおける通信を監視し、測定値を出力する第２の測定手段と、
前記第１の測定手段からの測定値を前記第２の測定手段からの測定値と相関させる相関付け手段と、
前記相関付けシステムの出力に基づいて、前記第１の測定手段からの測定値を前記第２の測定システムからの測定値と比較する表示を生成する表示手段と、
を備えることを特徴とする試験及び測定システム。
【請求項９】
前記相関手段が、時間に基づいて前記第１の測定手段の出力を前記第２の測定手段と相関させることを特徴とする請求項８に記載の試験及び測定システム。
【請求項１０】
前記相関手段が、前記第１の測定手段からの前記測定値の態様を表す第１の線と、前記第２の測定手段からの前記測定値の態様を表す第２の線とを有するチャートを生成することを特徴とする請求項８に記載の試験及び測定システム。
【請求項１１】
前記第１の線が、前記第１の測定手段からの単一の測定値タイプを表し、第２の線が、前記第２の測定手段からの単一の測定値タイプを表すことを特徴とする請求項１０に記載の試験及び測定システム。
【請求項１２】
前記第１の線が、前記第１の測定手段からの測定値の集約を表し、第２の線が、前記第２の測定手段からの測定値の集約を表すことを特徴とする請求項１０に記載の試験及び測定システム。
【請求項１３】
前記第１の測定手段が、
シグナリングプロトコルを使用してデータを送信するネットワークに接続された少なくとも１つのプローブと、
前記少なくとも１つのプローブからデータを受け取り、測定値を前記相関付け手段に出力するシグナリングアナライザと、
を含むことを特徴とする請求項８に記載の試験及び測定システム。
【請求項１４】
前記第２の測定手段が、
パケット交換網に接続された少なくとも１つのプローブと、
前記少なくとも１つのプローブからデータを受け取り、測定値を前記相関付け手段に出力するネットワークアナライザと、
を含むことを特徴とする請求項８に記載の試験及び測定システム。
【請求項１５】
シグナリングプロトコルを利用する通信と関連した第１の測定値を生成するステップと、
パケット交換網での通信と関連した第２の測定値を生成するステップと、
前記第１の測定値を前記第２の測定値と相関させるステップと、
前記第１の測定値を前記第２の測定値と比較するチャートを表示するステップと、
を含むことを特徴とする表示方法。
【請求項１６】
前記相関させるステップが、複数の時間間隔のそれぞれに一対の値を形成するステップを含み、前記一対のうちの一方の値が時間間隔の間に生じる第１の測定値を表し、前記一対のうちの他方の値が、前記同じ時間間隔の間に生じる前記第２の測定値を表すことを特徴とする請求項１５に記載の表示方法。
【請求項１７】
前記表示するステップが、前記複数の時間間隔のそれぞれにグラフ上に前記一対の値をプロットするステップを含むことを特徴とする請求項１６に記載の表示方法。
【請求項１８】
前記一対の値が、前記第１及び第２の測定値からいくつかの測定タイプを集約することによって形成されることを特徴とする請求項１６に記載の表示方法。
【請求項１９】
前記一対の値が、前記第１及び第２の測定値から単一の測定値タイプを選択することによって形成されることを特徴とする請求項１６に記載の表示方法。
【発明の詳細な説明】
【技術分野】
【０００１】
本発明は、信号及びネットワークイベントを相関させて表示するための装置及び方法に関する。
【背景技術】
【０００２】
現在、第３世代無線通信システム（一般に、３Ｇシステムと呼ばれる）は、一般に、最高２ギガバイト／秒（Ｍｂｐｓ）、場合によってはそれ以上のデータ転送速度の文字、音声、ビデオ及びマルチメディアを含む広帯域パケットデータ伝送として定義される。３Ｇシステムは、現在、設計され、作成され、実用化されてきており、最終的にほとんどの無線事業者は、何らかの形の３Ｇ可能システムを提供する。
【０００３】
３Ｇシステムの１つの例は、ユニバーサル移動体通信システム（ＵＭＴＳ；Universal  Mobil Telecommunication System）である。ＵＭＴＳは、国際電気通信連合（ＩＴＵ）ＩＭＴ−２０００体制で開発されている現在展開中のシステムである。ＵＭＴＳは、一般に、ヨーロッパで優勢なグループスペシャルモバイル（ＧＳＭ）ネットワークの後継ネットワークと考えられてきた。ＵＭＴＳは、第２世代ネットワークよりも実質的に高いデータ転送速度と高い容量を提供するために５ＭＨｚチャネルキャリア幅を使用する。この５ＭＨｚチャネルキャリアは、３Ｇネットワークを展開するコストを抑えるために、特に、一般に２ｘ１０ＭＨｚから最大２ｘ２０ＭＨｚの範囲のスペクトルの大きい連続ブロックが与えられたオペレータが無線資源を最適に使用することを可能にする。第３世代移動体通信システム標準化プロジェクト（３ＧＰＰ − ｗｗｗ．３ｇｐｐ．ｏｒｇを参照）によって一般的に標準化され、ペア帯域と非ペア帯域において大域的に調和されたスペクトルを使用することによって、初期段階の３Ｇ／ＵＭＴＳは、移動度が大きい状況で最大３８４ｋｂｐｓの理論ビットレートを提供し、静的／ノマディックユーザ環境では２Ｍｂｐｓもの高さになる。また、ペア（ＦＤＤ）スペクトルを使用するときのアップリンクとダウンリンクのデータ転送速度の対称性は、理想的には、３Ｇ／ＵＭＴＳがリアルタイムビデオ電話通信のような用途に適していることを意味する。
【０００４】
図１は、３ＧＰＰリリース１９９９に基づくＵＭＴＳシステムの理想化したブロック図である。ＵＭＴＳなどの３Ｇシステムは、一般に、パーソナル通信装置１０２、ラジオアクセスネットワーク１０６及びコアネットワーク１０８の３つの構成要素を有する。パーソナル通信装置１０２（ＵＭＴＳにおいてユーザ装置（ＵＥ）と呼ばれる）は、一般に、携帯電話や他のパーソナル通信装置を含む。無線ネットワーク１０６は、一般に、１つ又は複数の制御装置１１２ｎ（ＵＭＴＳでは無線ネットワーク制御装置（ＲＮＣ）と呼ばれる）と結合された１つ又は複数の基地局１１０ｎ（ＵＭＴＳではノード-Ｂと呼ばれる）を含む。基地局１１０ｎは、制御装置１１２ｎの指示によりユーザ装置１０２との通信路を構成する。制御装置１１２ｎは、コアネットワーク１０８と通信する。コアネットワーク１０８は、サービシングＧＰＲＳ支援ノード（ＳＧＳＮ）１１４や移動交換局／訪問者ロケーションレジスタ（ＭＳＣ／ＶＬＲ）１１６などの様々な装置を使用して交換機能、課金機能、及びデータサービス機能を実行する。
【０００５】
移動データは、Ｕｕ、Ｉｕｂ、Ｉｕ−ｃｓ、ＧＮ、Ｇｉなどのモバイルインタフェースで送られる。一般に、３Ｇシステムにおいてそのようなインタフェースを介して伝えられるデータには、回線交換型とパケット交換型の２種類がある。回線交換データは、一般に、ＰＳＴＮネットワークを含む回線交換網用に設計されたデータを含む。パケット交換データは、一般に、伝送制御プロトコル／インターネットプロトコル（ＴＣＰ／ＩＰ）に従って送られるデータを含む。一般に、データは、モバイルプロトコルを使用してＲＮＣ１１２ｂとの間で送られ、コアネットワークは、パケット交換データを使用してそれ自体とも末端とも通信する。
【０００６】
新しく現れた３Ｇシステムにおける様々な接続と装置を監視して問題解決するための試験及び測定システムが利用可能である。今日の極めて競争が激しい電気通信分野において、顧客は高いネットワーク信頼性を必要としており、望むサービスをより高いレベルで対応するためにネットワークを操作しかつ維持するコストと性能のバランスをとらなければならない。今日のパケット及び信号ネットワークの設計、問題解決、設置、及び保守に充てる時間と資源を最大限に活用しようとする様々なネットワーク及び信号試験及び測定製品が様々なベンダから入手可能である。
【０００７】
試験及び測定機器の現在の傾向は、信号及びパケットネットワークのために個別のソリューションを提供することであった。例えば本出願の譲受人であるＡＧＩＬＥＮＴ ＴＥＣＨＮ０Ｌ０ＧＩＥＳ社は、移動電話通信ネットワーク用のＳＩＧＮＡＬＩＮＧ ＡＮＡＬＹＺＥＲとパケット交換網用のＮＥＴＷ０ＲＫ ＡＮＡＬＹＺＥＲの２つの別の製品を提供している。問題が起きたとき、ユーザは、まず、根本的原因がどのネットワークにあるかを推測し、どれかの製品を選択して解析を始めなければならない。しかしながら、多くの場合、モバイルネットワークの問題であるように見えるものは、実際にはパケット交換網の問題であり、その逆もある。
【発明の開示】
【発明が解決しようとする課題】
【０００８】
本発明者は、モバイルネットワークとパケット交換網の組み合わせた表示を容易にする新しい装置及び方法が必要であることを認識した。
【発明を実施するための最良の形態】
【０００９】
添付図面と関連して行う本発明の以下の詳細な説明から本発明の実施形態を理解することができる。
【００１０】
次に本発明の実施形態について詳細に言及し、その例を添付図面に示し、図面全体を通して類似の参照数字は類似の要素を指す。以下の詳細な説明は、コンピュータ可読媒体、関連プロセッサ、汎用パーソナルコンピュータなの内部でデータビットの操作のルーチン及び記号表現によって実施できる方法を表す。そのような説明と表現は、当業者が自分の研究の内容を他の当業者に有効に伝えるために使用する手段である。
【００１１】
方法は、本明細書及び一般において、所望の結果を導き出す一連のステップ又は操作と考えられ、従って、「ルーチン」、「プログラム」、「オブジェクト」、「関数」、「サブルーチン」、「手順」のような技術用語を含む。本明細書で説明する方法は、コンピュータに記憶されたルーチンによって選択的に活動化又は再構成される汎用コンピュータや他のネットワーク装置上で動作し、必要な信号処理機能と連係することができる。より端的に言うと、本明細書に示した方法は、本質的にいかなる特定の装置にも関連付けられず、むしろ請求する方法を実施するために様々な装置を使用することができる。本実施形態を実施するために役立つ装置には、ＡＧＩＬＥＮＴ ＴＥＣＨＮＯＬＯＧＩＥＳ社やＨＥＷＬＥＴＴ ＰＡＣＫＡＲＤ社ならびに他のコンピュータとネットワーク試験及び測定装置（ネットワーク機器とも呼ばれる）のメーカーによって製造された装置がある。
【００１２】
本明細書で説明するソフトウェアに関して、当業者は、本明細書で概説する方法を実行するソフトウェアを作成するための様々なプラットフォーム及びプログラム言語があることを理解するであろう。本発明の実施形態は、多くの様々なプログラム言語のいずれを使用して実施することもでき、その１つの例はＪＡＶＡ（登録商標）であるが、当業者は、厳密なプラットフォームと言語の選択が、構成された実際のシステムの詳細によって指定される場合が多く、それにより、あるタイプのシステムに都合がよいものが別のシステムには効率的でない場合もあることが分かる。また、本明細書に示した方法は、マイクロプロセッサ上のソフトウェアとして実行されるように限定されず、他のタイプのプロセッサでも実施できることを理解されたい。例えば、方法は、ＡＳＩＣ（特定用途向け集積回路）でＨＤＬ（ハードウェア設計言語）によって実施されてもよい。さらに、ソリューションは、タスクのサブセットをそれぞれ実行する複数のコンピュータにわたってもよい。
【００１３】
図２は、本発明の好ましい実施形態による方法を実施できるネットワーク解析システムのブロック図である。より具体的には、図２は、ＵＭＴＳネットワーク２００に利用されるような分散型試験及び測定システムを示す。ＵＭＴＳネットワーク２００は、一般に、コアネットワーク（ＣＮ）２０２、ＵＭＴＳ地上無線接続網（ＵＴＲＡＮ）２０４、及びユーザ装置（ＵＥ）２０６を含む。ＣＮ２０２の主な機能は、音声、ビデオ及びデータを含むことができるユーザトラフィックの交換、経路指定、及び中継（ｔｒａｎｓｉｔ）を実現することである。ＣＮ２０２は、また、データベースを管理しネットワーク管理機能を実行するためのハードウェアとソフトウェアを含む。ＵＴＲＡＮ２０４は、ＵＥ２０６にエアインタフェースアクセス方法を提供する。ＵＥ２０６は、一般に、携帯電話や他のパーソナル通信装置を含む。図２に示した構成において、ＣＮ２０２は、一般に、１つ又は複数のサービングＧＰＲＳ支援ノード（ＳＧＳＮ）２１０と１つ又は複数の移動交換局／訪問者ロケーションレジスタ（ＭＳＣ／ＶＬＲ）２１２からなる。ＵＴＲＡＮ２０４は、一般に、１つ又は複数のノード-Ｂの２２０ｎと１つ又は複数のＲＮＣの２２２ｎとからなる。
【００１４】
ＵＭＴＳネットワーク２００の様々な構成要素間の接続は、インタフェースによって容易にされる。例えば、ノード-Ｂの２２０ｎとユーザ装置２０６と間のエアインタフェースは、Ｕｕインタフェースと呼ばれ、一般にＷＣＤＭＡエアインタフェースと一致する。同様に、ノード-Ｂの２２０ｎとＲＮＣの２２２ｎと間の通信は、一般に規格が公開されたインタフェースであるＩｕｂインタフェースによって容易にされる。ＵＭＴＳは、ＧＳＭと違い、Ｉｕｒインタフェースと呼ばれるＲＮＣの２１２ｎ間のインタフェースを指定する。ＲＮＣの２２２ｎとコアネットワークと間のインタフェースは、一般に、Ｉｕインタフェースと呼ばれる。ＵＭＴＳ規格の少なくとも最初の繰り返し（ｉｔｅｒａｔｉｏｎ）において、回路交換接続用とパケット交換接続用にそれぞれＩｕ−ｃｓとＩｕ−ｐｓと呼ばれる別のＩｕインタフェースが使用される。少なくともＵＭＴＳの初期のバージョンでは、前述の各インタフェースは、非同期転送モード（ＡＴＭ）技術を利用している。
【００１５】
Ａｇｉｌｅｎｔ社分散型ネットワークアナライザ系列の製品のプローブなどのプローブ２５０ｎは、ＵＭＴＳ２００内で送られるシグナリングプロトコルの通信を監視する。シグナリングプロトコルの１つの例は、アクセスリンク制御アプリケーションパートプロトコル（ＡＬＣＡＰ）である。一般に、プローブ２５０ｎは、ＩＵＢリンク、ＩＵリンク、ＩＵＲリンクなどの様々なインタフェースを介して渡されるメッセージを受動的及び能動的に測定しかつ収集する。従って、プローブ２５０ａは、ＲＮＣの２２２ａと、ノード-
Ｂの２２０ａ及び２２０ｂとの間のＩｕｂインタフェースを監視する。プローブ２５０ｂは、ＲＮＣの２２２ｂと、ノード-Ｂの２２０ｃ及び２２０ｄとの間のＩｕｂインタフェースを監視する。プローブ２５０ｃは、ＲＮＣの２２２ａとＲＮＣの２２２ｂとの間のＩｕｒインタフェースを監視する。最後に、プローブ２５０ｄ及び２５０ｅは、コアネットワーク２０２によりそれぞれＲＮＣの２２２ａと２２２ｂとの間のＩｕインタフェースを監視する。解析システム２５２は、プローブ２５０ｎからメッセージを受け取り、そのメッセージを解析し、ＵＭＴＳシステム１００のシグナリング動作に関係する情報を提供する。解析システムには、例えば、本発明の教示により改良されたＡＧＩＬＥＮＴ ＳＩＧＮＡＬＩＮＧ ＡＮＡＬＹＺＥＲがある。他の供給業者からの解析システムを利用することができる。
【００１６】
ＡＧＩＬＥＮＴ ＴＥＣＨＮＯＬＯＧＩＥＳ社のＳＩＧＮＡＬＩＮＧ ＡＮＡＬＹＺＥＲは、今日のネットワークの設計、問題解決、設置、及び保守に充てられる時間と資源を最大限に活用する分散型試験解析ソリューションを提供する。ＳＩＧＮＡＬＩＮＧ ＡＮＡＬＹＺＥＲソリューションのモジュール設計とフレキシビリティによって、技術チームは、技術者の様々な要求に正確に応える製品構成により、潜在的問題を識別し障害を迅速かつ効果的に解決することができる。詳細には、Ｓｉｇｎａｌｉｎｇ Ａｎａｌｙｚｅｒ−Ｒｅａｌｔｉｍｅ（Ｊ７３２６Ａ）によって、担当者は、起こるネットワーク問題を理解することができ、膨大な量になる可能性のある診断データが使用し易い情報にする。インタフェースのフレキシビリティを最大にするために、Ｓｉｇｎａｌｉｎｇ Ａｎａｌｙｚｅｒ−Ｒｅａｌｔｉｍｅは、Ａｇｉｌｅｎｔ社の他の分散ネットワーク解析ソリューションと同じホットスワップ可能なラインインタフェースを備えた十分に実績のあるＪ６８０１Ａデータ収集モジュールを使用する。又は、ポストキャプチャ解析用にＳｉｇｎａｌｉｎｇ Ａｎａｌｙｚｅｒ−Ｓｏｆｔｗａｒｅ Ｅｄｉｔｉｏｎ（Ｊ５４８６Ｂ）をオフラインで利用することができる。
【００１７】
Ａｇｉｌｅｎｔ社分散型ネットワークアナライザ系列の製品におけるプローブのようなプローブ２６０は、ＵＭＴＳ２００内で送られるパケット交換メッセージを監視する。図２に示した理想化したアーキテクチャにおいて、パケット通信の１つの例は、ＭＳＣ２１２とＳＧＳＮ２１０との間のものである。解析システム２６２は、プローブ２６０ｎからメッセージを受け取り、そのメッセージを解析し、ＵＭＴＳシステム１００のパケット交換式操作と関連した情報を提供する。解析システムには、例えば、ＡＧＩＬＥＮＴ ＮＥＴＷ０ＲＫ ＡＮＡＬＹＺＥＲがある。
【００１８】
Ａｇｉｌｅｎｔ Ｎｅｔｗｏｒｋ Ａｎａｌｙｚｅｒソフトウェアは、ＬＡＮ、ＷＡＮ又はＡＴＭネットワークを問題解決し解析するように設計された高性能なプロトコル解析ツールである。Ａｇｉｌｅｎｔ Ｎｅｔｗｏｒｋ Ａｎａｌｙｚｅｒソフトウェアは、ネットワーク性能を監視し、ネットワークトラフィックを捕捉し復号化し、利用率、エラーアクティビティ、プロトコル及びトラフィック分布、及び他の重要なネットワーク情報などの統計データを収集するプロトコル解析ツールである。Ａｇｉｌｅｎｔ Ｎｅｔｗｏｒｋ Ａｎａｌｙｚｅｒは、また、すべての主要なＬＡＮ及びＷＡＮ／ＡＴＭインタフェース用のラインインタフェースモジュール（ＬＩＭ）（被試験ネットワークに対するインタフェース）と接続されかつ／又はネットワーク接続されたＤＮＡのアクセスと制御を容易にする。被試験ネットワークに接続せずに前に捕捉されたネットワークトラフィックと統計の表示と解析を可能にするオフライン解析機能が提供される。全体的に、ネットワークアナライザソフトウェアは、ネットワーク性能の基準化、ユーザに影響を及ぼす前のネットワーク問題の防止、ネットワーク問題の迅速かつ効果的な解決、及びネットワーク性能の最適化を容易にする。
【００１９】
図３は、本発明の実施形態によるシステムを示すブロック図である。図３は、被試験モバイルネットワーク２０４を監視するプローブ２５０ｈ及び２５０ｉと、被試験パケット交換網２０２を監視するさらに２つのプローブ２６０ｈ及び２６０ｉを示す。シグナリングアナライザ２５２は、プローブ２５０ｈと２５０ｉからデータを収集し、２つのネットワークアナライザ２６２ａと２６２ｂは、それぞれ、プローブ２６０ｈと２６０ｉとからデータを収集する。各アナライザは、監視している信号を示す様々な測定値を作成する。そのような測定値は、一般に、データとコンテキストを含む。コンテキストは、測定を行うアナライザの識別を有するタイムスタンプでよい。データは、ネットワークアナライザを使用してコアネットワークからパケット交換データを捕捉するか信号アナライザを使用してモバイルネットワークから呼トレース／呼状態情報を捕捉することによって被試験ネットワークから捕捉された生データを含むことがある。
【００２０】
シグナリングアナライザ２５２及びネットワークアナライザ２６２ｎは、データを相関付けシステム３０２に送る。相関付けシステム３０２は、パーソナルコンピュータや、本教示により動作するように構成された専用サーバやネットワークアナライザなどの他の計算処理装置を含むことができる。相関付けシステム３０２は、プローブ２５２ｎ及び２６０ｎからデータを受け取り、そのデータをフィルタリングして関連データを抽出し、シグナリングイベントをパケット交換イベントと相関付け、関連データをデータリポジトリ３０６に入れる統合サーバ３１０を含む。解析サービス３０８は、データを２次元（又は３次元）表示用の形式にマップする。クライアント３０４は、データリポジトリ３０６から相関付けされマップされたデータを取り出し、シグナリングとパケット交換イベントの統一表示を容易にする表示を生成する。
【００２１】
図４は、本発明の実施形態による方法のフローチャートである。この方法は、ステップ４０２で始まる。ステップ４０４において、コンピュータ３０２は、アナライザ２５０ｎ及び２６０ｎ（図３参照）などの接続されたアナライザから測定値を受け取るように構成される。前述のように、そのような測定値は、一般に、コンテキストとデータを含む。コンテキストは、例えば、タイムスタンプ、測定値を供給するアナライザの指示、データを取得した場所の指示、測定しているイベントタイプの指示、又はこれらの任意の組み合わせを含む。データは、一般に、イベントの発生を表すスカラ値を含む。データは、イベントが起きたという事実（又は、そのような発生の数）又はイベントと関連した大きさを表すことができる。
【００２２】
供給される測定値のタイプは、測定値を供給するアナライザの構成に依存する。しかしながら、本発明の場合には、シグナリングアナライザ（例えば、アナライザ２５０ｎ）によって報告されたイベントが、ネットワークアナライザ（例えば、アナライザ２６０ｎ）によって報告されたイベントのタイプと異なることに留意されたい。例えば、代表的な信号測定には、通話断（ｄｒｏｐｐｅｄ ｃａｌｌｓ）、セットアップ障害（ｓｅｔｕｐ ｆａｉｌｕｒｅｓ）、網故障（ｎｅｔｗｏｒｋ ｏｕｔ ｏｆ ｏｒｄｅｒ）、リソース使用不可（ｒｅｓｏｕｒｃｅ ｕｎａｖａｉｌａｂｌｅ）、ネットワークを通過する経路なし（ｎｏ ｒｏｕｔｅ ｔｏ ｔｒａｎｓｉｔ ｎｅｔｗｏｒｋ）などがある。同様に、例えば、代表的なネットワーク測定値には、ＣＲＣエラー、衝突、フレームチェックサム、％利用率、損失、ジッタ、ラント（ｒｕｎｔｓ）、超過送信（ｊａｂｂｅｒ）、再送信などがある。
【００２３】
次に、ステップ４０６において、測定値をフィルタリングして対象外の測定値を除去する。そのようなフィルタは、システムのユーザによって準備されてもよく、標準セットとして提供されてもよい。ユーザがフィルタで除去したい可能性のある測定値の例には、ＦＰ、Ｉｕｂ信号線、Ｉｕｂ信号装置、ＲＡＮＡＰ／ＡＬＣＡＰ／ＮＢＡＰがある。
【００２４】
次に、ステップ４０８において、測定値のタイムスタンプに基づいて測定値をグループ化する。グループ化のパラメータ（例えば、時間間隔）は、ユーザが定義することができる。このプロセスは、その時間間隔のシグナリング及びネットワーク測定値を収集する（例えば、相関付ける）時間間隔によって編成されたデータ構造を作成する。その後、ステップ４１０において、測定値のグループが、データ記憶装置３０６に記憶される（図３参照）。
【００２５】
次に、ステップ４１２において、様々な測定値を集約するために使用されるパラメータが識別される。次いで、ステップ４１４において、各間隔内の測定値が、識別された集約パラメータに基づいて集約されて、信号測定値を表す１つの値とネットワーク測定値を表す１つの値が生成される。一般に、シグナリング測定値用に１組とネットワーク測定値用に１組の２組の集約パラメータになる。１つの例として、集約パラメータは、対象となる１つ又は複数の測定値タイプを選択する追加のフィルタを指定することができる。パラメータは、また、単一の値を得るために各間隔の様々な測定値をどのように組み合わせるかを指定する。例えば、ユーザが、ＣＲＣエラーの数（ネットワーク測定）と通話断の数（シグナリング測定）を比較したい場合がある。その場合、パラメータは、代表値に到着するために、該当しない測定値をフィルタリングし、発生の単純な加算を指定する。また、代表値を作成するためにいくつかの測定値を単純な加算値と共に又は重み付けした値を用いて組み合わせることが興味深いことが分かる。
【００２６】
ステップ４１６において、集約された測定値（例えば代表値）は、（タイムスタンプや表されている時間間隔の他の指示と共に）データリポジトリ３０６に記憶される。その後で、測定値は、ステップ４２０においてＧＵＩに表示するためにクライアント３０４に送られる（ステップ４１８参照）。一般に、表示は、シグナリング測定値を表す１本の線とネットワーク測定値を表す１本の線の２本の積み重ねた線グラフからなる。
【００２７】
図５は、本発明の実施形態による表示５００の実例である。第１の線５０２は、各時間間隔ごとのパケット交換網でのＩＰ再送信数を表す。第２の線５０４は、モバイルネットワークのサービス品質を表す。サービス品質測定値は、一般に、他の測定値に基づく集約された測定値である。両方の線５０２と５０４のプロットに使用される値は、同じグラフに適合するように正規化される。Ｉｐ再送信測定値は１０で割られ、サービス品質測定値は「５」が測定範囲の上端を表し「４」が測定範囲の下端を表すように正規化されている。
【００２８】
本発明の実施形態を示し説明したが、当業者は、本発明の原理と趣旨から逸脱することなくこれらの実施形態に変更を行うことができ、その範囲が特許請求の範囲とその等価物によって定義されることを理解されよう。
【００２９】
例えば、本発明を、本出願の譲受人であるＡｇｉｌｅｎｔ Ｔｅｃｈｎｏｌｏｇｉｅｓ社から入手可能なプローブとアナライザに関して説明したが、本発明はこれらに限定されるものではなく、すべての試験及び測定システム、特にヘッドレスプローブとヘッドレスネットワークアナライザに適用可能である。
【００３０】
以上をまとめると、次の通りである。すなわち、試験及び測定装置は、２つの測定システムを有する。第１の測定システムは、シグナリングプロトコルにおける通信を監視し、第２の測定システムは、ネットワークプロトコルにおける通信を監視する。相関付けシステムは、前記第１の測定システムの出力を前記第２の測定システムの出力と相関付ける。グラフィカルユーザインタフェースは、前記相関付けシステムの出力に基づいて、前記第１の測定システムの出力の少なくとも１つの態様を前記第２の測定システムの少なくとも１つの態様と比較する表示を生成する。
【図面の簡単な説明】
【００３１】
【図１】３ＧＰＰリリース１９９９に準拠するＵＭＴＳシステムの理想化したブロック図である。
【図２】本発明の好ましい実施形態による方法を実施することができるネットワーク解析システムのブロック図である。
【図３】本発明の実施形態によるシステムを示すブロック図である。
【図４】本発明の実施形態による方法のフローチャートである。
【図５】本発明の実施形態による表示例の図である。
【符号の説明】
【００３２】
２０２  パケット交換ＮＵＴ
２０４  モバイルＮＵＴ
２５０ｈ  プローブ
２５２  シグナリングアナライザ
２６２ａ  ネットワークアナライザ
２６２ｂ  ネットワークアナライザ
３０４  クライアント
３０６  データリポジトリ
３０８  解析サービス
３１０  統合サーバ
【図１】
2006311555.tif 000003
【図２】
2006311555.tif 000004
【図３】
2006311555.tif 000005
【図４】
2006311555.tif 000006
【図５】
2006311555.tif 000007